(57)【要約】【課題】電池などが内蔵された本体部を交換することなく、違うマスカラ剤を使用可能にする。また、携帯に便利な長さにする。市販のマスカラを使用可能にする。まつ毛に塗り残し無くマスカラ剤を塗布する。【解決手段】本体部１とマスカラ剤容器１２をキャップ部６を介して連結する。本体部１は、電池２、電池２からの電力を受け回転するギヤードモータ３を内蔵し、ギヤードモータ３の回転を受け回転する回転部材４を先端に備える。マスカラ剤容器１２は上部１３が開口した円筒状の容器であり、内部にマスカラ剤１４を収容する。キャップ部６は、マスカラ剤容器１２のキャップであり、上面部中央にブラシ部１０を固定し、底面部に上記回転部材と連結する連結部材８ａ、８ｂを備える。【選択図】図１
2010253060.tif 000002
【特許請求の範囲】
【請求項１】
本体部とマスカラ剤容器をキャップ部を介して連結してなり、
上記本体部は、電池、電池からの電力を受け回転するモータを内蔵し、モータの回転を減速機構で減速して受け回転する回転部材を先端に備え、
上記マスカラ剤容器は上部が開口した円筒状の容器であり、内部にマスカラ剤を収容し、
上記キャップ部は、上面部に凹部を形成してマスカラ剤容器のキャップとすると共に、上面部中央にブラシ部を固定し、さらに底面部に上記回転部材と連結する連結部材を備え、
ブラシ部は、キャップ部から延設された棒状部材と、棒状部材の先端部の周縁に円筒状に植毛されたブラシからなり、
マスカラ剤容器は、上部にキャップ部を上下反転して連結すると、その内部にブラシ部が収容されることを特徴とする電動マスカラ。
【請求項２】
前記キャップ部がコレットとコレットチャックカバーからなり、
コレットは先端部に放射状の切り込みを有し、底部に上記本体部と連結する部材を、先端部にマスカラ剤容器と連結する部材をそれぞれ備え、
コレットチャックカバーは、コレットの先端部に着脱自在で、コレットに装着して、コレットに挟持したものを固定することを特徴とする請求項１に記載の電動マスカラ。
【請求項３】
前記回転部材の先端部に嵌合凹部を、連結部材に嵌合凸部を設け、両者を嵌合することにより連結し、
前記キャップ部とマスカラ剤容器との連結が螺合であることを特徴とする請求項１に記載の電動マスカラ。
【請求項４】
前記本体部が振動モータを内蔵することを特徴とする請求項１に記載の電動マスカラ。
【請求項５】
前記ブラシ部の棒状部材を熱伝導性の高い素材で形成すると共に、内部に電熱ヒータを内蔵し、当該電熱ヒータを本体部に内蔵した電池と電気的に接続することを特徴とする請求項１に記載の電動マスカラ。
【発明の詳細な説明】
【技術分野】
【０００１】
本発明は、ブラシが電動で回転する電動マスカラの改良に関する。
【背景技術】
【０００２】
電動マスカラは、電池やモータなどを内蔵する本体部と、これに連結するブラシから構成され、ブラシがゆっくりと回転してマスカラ剤を手際よく塗布できるなどの利点がある(特許文献１，２)。
しかし、本体部に対しブラシが一体的に連結されているため、種類の違うマスカラ剤を使用する場合、全体を交換しなければならなかった。本体部には電池やモータのほか減速機構などが内蔵され高価なため、全体を交換するのは不経済であった。
また、本体部とブラシを合わせると全長が携帯に不便な長さになり、またブラシが専用なため市販のマスカラが気に入っても使えないという不都合があった。
さらに、通常まつ毛の下側にブラシを接触させてマスカラ剤を塗布するので、まつ毛の上側にマスカラ剤を塗布できなかった。
【先行技術文献】
【特許文献】
【０００３】
【特許文献１】特開２００５−９５５３１号公報
【特許文献２】特開２００７−２１５９８７号公報
【発明の概要】
【発明が解決しようとする課題】
【０００４】
解決しようとする課題は、電池などが内蔵された本体部を交換することなく、違うマスカラ剤を使用可能にすること、携帯に便利な長さにすること、市販のマスカラを使用可能にすること及びまつ毛に塗り残し無くマスカラ剤を塗布することである。
【課題を解決するための手段】
【０００５】
請求項１の発明は、本体部とマスカラ剤容器をキャップ部を介して連結してなり、
上記本体部は、電池、電池からの電力を受け回転するモータを内蔵し、モータの回転を減速機構で減速して受け回転する回転部材を先端に備え、
上記マスカラ剤容器は上部が開口した円筒状の容器であり、内部にマスカラ剤を収容し、
上記キャップ部は、上面部に凹部を形成してマスカラ剤容器のキャップとすると共に、上面部中央にブラシ部を固定し、さらに底面部に上記回転部材と連結する連結部材を備え、
ブラシ部は、キャップ部から延設された棒状部材と、棒状部材の先端部の周縁に円筒状に植毛されたブラシからなり、
マスカラ剤容器は、上部にキャップ部を上下反転して連結すると、その内部にブラシ部が収容されることを特徴とする。
請求項２の発明は、前記キャップ部がコレット、コレットチャックカバー及び市販のマスカラのキャップからなり、
コレットは先端部に放射状の切り込みを有し、底部に上記本体部と連結する部材を、先端部に市販のマスカラのキャップを挟持する部材をそれぞれ備え、
コレットチャックカバーは、コレットの先端部に着脱自在で、コレットに装着して、コレットに挟持した市販のマスカラのキャップを固定することを特徴とする。
請求項３の発明は、前記回転部材の先端部に嵌合凹部を、連結部材に嵌合凸部を設け、両者を嵌合することにより連結し、
前記キャップ部とマスカラ剤容器との連結が螺合であることを特徴とする。
請求項４の発明は、前記本体部が振動モータを内蔵することを特徴とする。
請求項５の発明は、前記ブラシ部の棒状部材を熱伝導性の高い素材で形成すると共に、内部に電熱ヒータを内蔵し、当該電熱ヒータを本体部に内蔵した電池と電気的に接続することを特徴とする。
【発明の効果】
【０００６】
請求項１の発明は、ブラシ部を固定したキャップ部と、マスカラ剤容器が本体部に着脱自在であるので、キャップ部と、マスカラ剤容器を本体部から外し別の物と交換することにより、違うマスカラ剤を使用できる。よって、違うマスカラ剤を使用する場合も本体部を交換する必要がない。また、マスカラ剤容器及びキャップ部と本体部とが分離できるので、連結した際の約１／２の長さになり携帯に便利である。
請求項２の発明では、キャップ部がコレットとコレットチャックカバーからなり、これにより市販のマスカラのキャップを着脱自在に固定するので、市販のマスカラを使用可能である。
請求項３の発明では、前記回転部材の先端部に嵌合凹部を、連結部材に嵌合凸部を設け、両者を嵌合することにより連結し、
前記キャップ部とマスカラ剤容器との連結が螺合であるので、マスカラ剤容器を取り外すときの方向が、回転部材と連結部材との取り外し方向と異なり、マスカラ剤容器を円滑に取り外せる。
請求項４の発明では、本体部の振動がブラシに伝わり、まつ毛の下側にブラシを当ててもまつ毛の全周に亘りマスカラ剤を塗布することができる。
請求項５の発明では、棒状部材が電熱ヒータにより加熱し、まつ毛パーマができる。
【図面の簡単な説明】
【０００７】
【図１】電動マスカラの正面図である。
【図２】マスカラ剤容器を外し、倒立した状態の電動マスカラの正面図である。
【図３】さらにブラシを外した状態の電動マスカラの正面図である。
【図４】別売りマスカラの正面図である。
【図５】キャップ部の平面図である。
【図６】回転部材とキャップ部との結合前の拡大断面図である。
【図７】別の実施形態の電動マスカラの正面図である。
【図８】図７の要部拡大断面図である。
【図９】本体部に振動モータを内蔵した電動マスカラの側面図である。
【図１０】振動モータを内蔵した電動マスカラの作用を説明する図である。
【図１１】棒状部材に電熱ヒータを内蔵させたキャップ部の断面図である。
【発明を実施するための形態】
【０００８】
以下、本発明に係る電動マスカラの実施形態について図を参照して説明する。
図１は電動マスカラの正面図、図２はマスカラ剤容器を外し、倒立した状態の電動マスカラの正面図、図３はさらにブラシを外した状態の電動マスカラの正面図である。
【０００９】
電動マスカラ１１は、本体部１、キャップ部６、ブラシ部１０、マスカラ剤容器１２からなる。
本体部１は円筒状で、電池２と、電池２からの電力を受け回転するギヤードモータ３を内蔵し、ギヤードモータ３の回転を受け回転する回転部材４を先端部に突設する。この回転部材４は円柱状で、上面部に嵌合凹部５を設ける。
キャップ部６は円柱状で、上面部および底面部にそれぞれ凹部７，８を有し、この上面部側の凹部７の内周にネジ９を設けマスカラ剤容器のキャップにする。
凹部８には、回転部材の側面部と嵌合する嵌合壁８ａと、嵌合凹部５と嵌合する嵌合凸部８ｂを設ける（図５参照）。この嵌合壁８ａ、嵌合凸部８ｂが連結部材である。
ブラシ部１０は、従前のマスカラのブラシと同様に、棒状部材１０ａと、棒状部材１０ａの先端部の周縁に円筒状に植毛されたブラシ１０ｂからなり、キャップ部６の上面部中央に固着する。
マスカラ剤容器１２は、上部１３が開口した円筒状の容器であり、内部にマスカラ剤１４を収容する。この上部１３の外周に、前記凹部７の内周のネジ９と螺合するネジを設ける。
また、上記嵌合壁８ａ、嵌合凸部８ｂまたは回転部材４を弾性部材で形成する。
【００１０】
本体部１とキャップ部６は、回転部材４及び嵌合凹部５にキャップ部６の嵌合壁８ａ及び嵌合凸部８ｂを嵌合して連結する（図６参照）。また、キャップ部６の先端部側の凹部７にマスカラ剤容器１２の上部１３を螺合して連結して、本体部１、キャップ部６、ブラシ部１０、マスカラ剤容器１２を一体にし、電動マスカラ１１にする。
この電動マスカラ１１は、回転部材４の回転に伴いキャップ部６を介しブラシ部１０が回転する。
また、別売りマスカラ１６は、キャップ部６、ブラシ部１０、マスカラ剤容器１２が一体になったものである。このマスカラ剤容器１２には、上記マスカラ剤１４とは異なるマスカラ剤１５を収容する(図４参照)。別売りマスカラ１６は、購入者の多様な希望に対応できるよう複数種類用意する。
なお、１７はスイッチであり、これを押すと電源がオン、離すと電源がオフになり、ブラシが回転、停止する。スイッチ１７の矢印は回転方向である。
【００１１】
電動マスカラ１１を使用する際は、本体部１を握りマスカラ剤容器１２を回して取り外し、スイッチ１７を入れ、回転するブラシ１０ｂをまつ毛に当てる。
また、別のマスカラ剤１５を使用する場合は、本体部１からキャップ部６、ブラシ部１０、マスカラ剤容器１２を外し所望の別売りマスカラ１６を取り付ける。
【００１２】
次に別の実施形態について説明する。
本体部１は上記実施形態と同じであり、キャップ部などが異なる。
図７は、マスカラ剤容器を外した状態の電動マスカラの正面図、図８は要部拡大図である。
１８は、先端部に放射状の切り込み１９ａを有するコレット(筒状部材)であり、基端部の外周にネジ１９ｂを有する。また、コレット１８の底面部中央に凹部２０を設け、ここに嵌合壁８ａと、嵌合凸部８ｂを設ける。
２１は内周にネジを有する管状のコレットチャックカバーであり、コレット１８のネジ１９ｂと螺合させて連結する。
このコレット１８、コレットチャックカバー２１及び市販のマスカラのキャップ２２が、上記実施形態のキャップ部６に相当する。
【００１３】
使用する際は、回転部材４及び嵌合凹部５にコレット１８の嵌合壁８ａ及び嵌合凸部８ｂを嵌合してコレット１８を本体部１に連結する。
次に、コレット１８の先端部で市販のマスカラのキャップ２２を挟持する。次に、コレット１８にコレットカバー２１を螺合してキャップ２２を固定する。その後、市販のマスカラの容器２３を外して電池を入れ、回転するブラシ２４をまつ毛に当てる。
【００１４】
次にさらに別の実施形態について説明する。
本体部１に振動モータ２６を内蔵する点が前記各実施形態と異なる。
図９は、電動マスカラの本体部１の側面図であり、本体部１内の電池２とギヤードモータ３間に振動モータ２６を配置する。
この振動モータ２６は電池２からの電力を受け本体部１を振動させ、この振動がブラシ部１０に伝わる。
前記各実施実施形態のように、ブラシ部１０が振動しない場合は、図１０（ａ）に示すようにブラシ１０ｂはまつ毛２７の下半分のみに接触し、棒状部材１０ａを中心に回転する。よって、マスカラ剤はまつ毛２７の下半分だけ塗布される。
これに対しブラシ部１０が振動する場合は、図１０（ｂ）に示すとおり、ブラシ１０ｂがまつ毛２７の全周と接触する。よって、まつ毛２７の全周に亘りマスカラ剤を塗り残しなく塗布できる。
【００１５】
次にさらに別の実施形態について説明する。
棒状部材１０ａが電熱ヒータ２８を内蔵する点が前記各実施形態との大きな違いである。
すなわち、棒状部材１０ａの先端部が電熱ヒータ２８を内蔵し、この電熱ヒータ２８にリード線２９，２９の一端を接続し、リード線２９，２９の他端をキャップ部に内蔵した電池３０に接続して電力を供給する。
以上の構成により、この棒状部材１０ａに電熱ヒータ２８を内蔵したキャップ部６を本体部１に取り付けることにより、まつ毛パーマを行うことができる。
【００１６】
前記各実施形態で電池２は乾電池、充電池のいずれであってもよい。乾電池の場合には、本体部１の底部２５を開閉自在にし、ここから乾電池を交換可能にする。
また、ギヤードモータ３の代わりに、モータとモータの回転を減速して回転部材４に伝える歯車などの減速機構を使用してもよい。ただし、ギヤードモータ３を使用すると装置を小型化できる。
また、前記実施形態では、回転部材４とキャップ部６を嵌合して連結しているがこれに限るものではなく、螺合などの公知の方法で連結してもよい。ただし嵌合にすると連結しやすく、また、マスカラ剤容器１２を外しやすい。
【符号の説明】
【００１７】
１    本体部
２    電池
３    ギヤードモータ
４    回転部材
５    嵌合凹部
６    キャップ部
８ａ  嵌合壁
８ｂ  嵌合凸部
１０  ブラシ部
１１  電動マスカラ
１２  マスカラ剤容器
１４，１５  マスカラ剤
【図１】
2010253060.tif 000003
【図２】
2010253060.tif 000004
【図３】
2010253060.tif 000005
【図４】
2010253060.tif 000006
【図５】
2010253060.tif 000007
【図６】
2010253060.tif 000008
【図７】
2010253060.tif 000009
【図８】
2010253060.tif 000010
【図９】
2010253060.tif 000011
【図１０】
2010253060.tif 000012
【図１１】
2010253060.tif 000013